(57)【要約】【課題】寝ている被介護者３をベッドから起き上がらせ、その状態から、車椅子へといった移乗介護において、介護者４の負担を今まで以上に軽減する移乗介護補助具の提供をすること。【解決手段】  両端に内側、外側両方に面ファスナー１３を有した腰用ベルト１１と臀部支持ベルト１２からなる被介護者が装着する被介護者用ベルト１と、背面に面ファスナー１３と対になる面ファスナー２１を有し介護者が着用するベスト２を組み合わせて使用することによって負担を軽減する。【選択図】図１
2011224297.tif 000002
【特許請求の範囲】
【請求項１】
被介護者用ベルト１と介護者用ベスト２を有し、前記被介護者用ベルト１は、両端に、介護者用ベスト２へ被介護者用ベルト１を脱着可能とする面ファスナー１３を有する被介護者の腰に巻き腰部を支える腰用ベルト１１と被介護者の股下を通し臀部を支える臀部支持ベルト１２とから構成され、前記介護者用ベスト２は、背面外側に面ファスナー１３と対をなす面ファスナー２１を有することを特徴とする移乗介護補助具。
【請求項２】
前記臀部支持ベルト１２が、被介護者との接触面積を広くとった臀部支持具１４を有することを特徴とする請求項１記載の移乗介護補助具。
【請求項３】
前記腰用ベルト１１が、股下を通すベルトを固定するベルト固定具１５を有することを特徴とする請求項１又は請求項２記載の移乗介護補助具。
【発明の詳細な説明】
【技術分野】
【０００１】    本発明は、自力で歩くこと、立ち上がること、更にベッドに座らせたり寝かせたりすることが困難な患者などの被介護者を、介護者がベッド等から車椅子等に抱きかかえて移乗させる際に、安全かつ介護者に負担のかからない抱き起こし、及び移乗介護を補助する移乗介護補助具に関する。
【背景技術】
【０００２】    介護現場では被介護者の寝起きやベッドと車椅子等との相互移乗は、介護者にとって重労働である。従って、介護者に極めて過酷な仕事が要求されることになっており、多くの介護者が腰を痛めるという問題が多々発生している。従来、上記したような介護の仕事の重労働の軽減を図るべく様々な介護補助具が開発されている。しかし、現実には、通常、ベッドから車椅子へといった移乗を介護する際には、介護者が被介護者のズボンの裾を掴んで立ち上がらせ、歩行しやすくさせ移乗させることが行われている。【０００３】    上記したように、介護の仕事での介護者の肉体的な負担の軽減を図るべく、被介護者の腰部から臀部にかけて、巻きつける幅広のベルトの背面部に把持部を設け、被介護者の歩行を促し、移乗させやすくする介護用補助ベルトの補助具が知られている（例えば、特許文献１を参照）。
【先行技術文献】
【特許文献】
【０００４】
【特許文献１】特開２００２−２８１９６号公報
【発明の概要】
【発明が解決しようとする課題】
【０００５】    しかしながら、特許文献１は比較的取付け容易な介護ベルトとして幅広い本体の両端に着脱自在な係脱部を設け、背面には、把持部を設けて介護ベルトを腰部回りに取付けて介護者が把持部を保持し、被介護者の歩行や、立ち上がり、更に、ベッドに座らせたりすることを助けるものである。【０００６】    従来の移乗介護における問題は、上記したようにズボンの裾をつかむので、ズボンが被介護者の股に食い込み、身体への苦痛、負担になる点である。介護者は、不安定な把持になるので、自分の身体で支えようとし、介護者の腰、腕に大きな負担がかかることが多い。このように、介護者が安定した把持をすることが難しく、両者の負担につながるという問題がある。
【課題を解決する為の手段】
【０００７】    本発明の目的は、介護者の安定した把持を補助し、介護者への負担を軽減することである。本発明の１の態様は、上記目的を達成するために、被介護者用ベルト１と介護者用ベスト２を有し、前記被介護者用ベルト１は、両端に、介護者用ベスト２へ被介護者用ベルト１を脱着可能とする面ファスナー１３を有する被介護者の腰に巻き腰部を支える腰用ベルト１１と被介護者の股下を通し臀部を支える臀部支持ベルト１２とから構成され、前記介護者用ベスト２は、背面外側に面ファスナー１３と対をなす面ファスナー２１を有することを特徴とする移乗介護補助具を提供する。被介護者用ベルト１と介護者用ベスト２とを有し、前記臀部支持ベルト１２が、被介護者との接触面積を広くとった臀部支持具１４を有する。又、前記腰用ベルト１１が、臀部支持ベルト１２を固定するベルト固定具１５を有する。
【発明の効果】
【０００８】    本発明によれば、上記の被介護者用ベルト１と介護者が着用する面ファスナー２１を有するベスト２を併用することで、介護者と被介護者の密着の度合いを高めることが可能で、被介護者の腕力によらない重心移動を用いた抱き起こしを補助することが可能で、介護者の腰、及び腕への負担を大きく軽減し効率的に介護することができる。
【図面の簡単な説明】
【０００９】
【図１】  本発明の実施例１の移乗介護補助具の被介護者用ベルト１の概略図
【図２】  本発明の実施例１の移乗介護補助具の介護者用ベスト２の概略図
【図３】  本発明の実施例１の移乗介護補助具のベルト固定具１５の概略図
【図４】  本発明の実施例１の移乗介護補助具の被介護者用ベルト１を被介護者３の下に敷いた状態図
【図５】  本発明の実施例１の移乗介護補助具で介護者４が被介護者３を被介護者用ベルト１の面ファスナー１３と介護者用ベスト２の面ファスナー２１を張り付けた状態で抱き起こしている状態図
【図６】  本発明の実施例１の状態図である図５の状態を横から見た状態図
【図７】  本発明の実施例２の移乗介護補助具の臀部支持ベルト１２の概略図
【発明を実施する為の形態】
【００１０】    以下、本発明の移乗介護補助具の実施例を用いて具体的に説明する。
【実施例１】
【００１１】    実施例１の移乗介護補助具は、被介護者用ベルト１と介護者用ベスト２を有する。図１は被介護者用ベルト１の概略図である。被介護者用ベルト１は、布製で、被介護者の腰に巻き腰部を支える腰用ベルト１１と、股下を通し臀部を支える臀部支持ベルト１２を有する。腰用ベルト１１は、その両端内側と外側に面ファスナー２１と対をなす面ファスナー１３を貼付けてある。腰用ベルト１１は、フック１７を有する。その臀部支持ベルト１２は２本あり、ともに腰用ベルト１１の一辺側中央部付近に一端を縫い付けられている。２本の臀部支持ベルト１２が斜めに交差するよう腰用ベルト１１に対して角度をもたせて縫製してある。２本の臀部支持ベルト１２のそれぞれの先端にリング１８を有する。図３は臀部支持ベルト１２を固定するベルト固定具１５の概略図である。ベルト固定具１５は、被介護者用ベルト１との間に空隙を有し、そこに、腰用ベルト１１を通すことで固定する。腰用ベルト１１は被介護者と接しない面に、臀部支持ベルト１２を固定するベルト固定具１５を有する。腰用ベルト１１のベルト固定具１５を有している面の中央部に把手１６を有する。【００１２】    図２は介護者が着用する介護者用ベスト２の概略図である。図２には、介護者用ベスト２の前面側、背面側を左右に並べて示してある。介護者用ベスト２は、布製で、背面全体に面ファスナー１３と対をなす面ファスナー２１を有し、被介護者用ベルト１を脱着可能である。【００１３】    ＜使用方法の例＞
介護者４が介護者用ベスト２を着用する。【００１４】    図４は被介護者用ベルト１を被介護者３の下に敷いた図である。図４に表した被介護者用ベルト１は臀部支持ベルト１２をベルト固定具１５に固定された状態である。図５は、介護者４が被介護者３を被介護者用ベルト１の面ファスナー１３と介護者用ベスト２の面ファスナー２１を張り付けた状態で抱き起こしている図である。図６は図５の状態を横から見た図である。仰向けになっている被介護者３の背の下に、被介護者用ベルト１を斜めに敷き、被介護者用ベルト１両端の面ファスナー１３の一端を介護者４の着用している介護者用ベスト２の肩の面ファスナー２１と、もう一端の面ファスナー１３を介護者４が着用している介護者用ベスト２の腰に面ファスナー２１に付け、被介護者３を抱き起こす。【００１５】    介護者用ベスト２に貼り付けた腰用ベルト１１の面ファスナー１３を剥がし、臀部支持ベルト１２を被介護者３の股下を通し、リング１８をフック１７に固定して適度に締付け、腰用ベルト１１を座っている状態の被介護者３の腰に巻く。【００１６】    腰用ベルト１１の把手１６をつかみ、移乗介護を行う。
【実施例２】
【００１７】    本発明の実施例２の移乗介護補助具は、臀部支持ベルト以外は、実施例１と同じである。図７は実施例２の移乗介護補助具の臀部支持ベルト１２の概略図である。臀部支持ベルト１２の股下部分における被介護者との接触面積を広くとり、臀部を支える臀部支持具１４を備えることによって被介護者の股下部分へのベルトの食い込みを緩和でき、かつ、移乗介護時の安定感を増すことができる。【００１８】  本発明は上記実施例に限定されるものではなく、種々変形可能である。例えば、上記実施例では、被介護者用ベルト１は布製としたが、革製であっても良い。又、布製で何層にも重ねたベルトであっても良いし、エアクッション構造を有したベルトでも良い。
【符号の説明】
【００１９】      １    被介護者用ベルト
１１  腰用ベルト
１２  臀部支持ベルト
１３  面ファスナー
１４  臀部支持具
１５  ベルト固定具
１６  把手
１７  フック
１８  リング
２    介護者用ベスト
２１  面ファスナー
３    被介護者
４    介護者
【図１】
2011224297.tif 000003
【図２】
2011224297.tif 000004
【図３】
2011224297.tif 000005
【図４】
2011224297.tif 000006
【図５】
2011224297.tif 000007
【図６】
2011224297.tif 000008
【図７】
2011224297.tif 000009
【手続補正書】
【提出日】平成22年12月11日(2010.12.11)
【手続補正１】
【補正対象書類名】特許請求の範囲
【補正対象項目名】全文
【補正方法】変更
【補正の内容】
【特許請求の範囲】
【請求項１】
被介護者と介護者が正対している状態にて使用される移乗介護補助具であって、被介護者用ベルト１と介護者用ベスト２を有し、前記被介護者用ベルト１は、両端に、介護者用ベスト２へ被介護者用ベルト１を脱着可能とする面ファスナー１３を有する被介護者の腰に巻き腰部を支える腰用ベルト１１と腰用ベルト１１に付随するリング１８と前記リング１８と接続するフック１７を有する被介護者の股下を通し臀部を支える臀部支持ベルト１２とから構成され、前記介護者用ベスト２は、背面外側に面ファスナー１３と対をなす面ファスナー２１を有することを特徴とする移乗介護補助具。
【請求項２】
前記腰用ベルト１１が、股下を通すベルトを固定するベルト固定具１５を有することを特徴とする請求項１又は請求項２記載の移乗介護補助具。
【手続補正書】
【提出日】平成23年3月8日(2011.3.8)
【手続補正１】
【補正対象書類名】特許請求の範囲
【補正対象項目名】請求項２
【補正方法】変更
【補正の内容】
【請求項２】
前記腰用ベルト１１が、股下を通すベルトを固定するベルト固定具１５を有することを特徴とする請求項１記載の移乗介護補助具。
【手続補正２】
【補正対象書類名】明細書
【補正対象項目名】０００７
【補正方法】変更
【補正の内容】
【０００７】  本発明の目的は、介護者の安定した把持を補助し、介護者への負担を軽減することである。本発明の１の態様は、上記目的を達成するために、被介護者と介護者が正対している状態にて使用される移乗介護補助具であって、被介護者用ベルト１と介護者用ベスト２を有し、前記被介護者用ベルト１は、両端に、介護者用ベスト２へ被介護者用ベルト１を脱着可能とする面ファスナー１３を有する被介護